(57)【要約】【課題】電池パックなどの商品を複数個まとめて展示して販売するための商品展示箱のうち、商品の流通段階から店頭販売段階へ移行する時点で商品を詰め替える必要のない商品展示箱において、消費者への商品アピール度を高め、再使用可能とする。【解決手段】直方体箱状の箱本体２０に、その一方の側面２０ａの上辺から正面２０ｃを通って他方の側面２０ｂの上辺に至る形で切り込み１９を入れることにより、商品収納部２１と、この商品収納部２１に対して１８０°回転自在に連設された蓋部２２とを形成する。これにより、蓋部２２を１８０°回転させると、上下２段の商品展示部２５、２６が形成されるので、多種多量の商品を展示することができる。蓋部２２を１８０°逆回転させると、箱本体２０が元の直方体箱状に戻るので、商品を店頭販売した後に商品展示箱１を再使用することができる。【選択図】図４
2005066084.tif 000002
【特許請求の範囲】
【請求項１】
直方体箱状の箱本体（２０）に、その一方の側面（２０ａ）の上辺から正面（２０ｃ）を通って他方の側面（２０ｂ）の上辺に至る形で切り込み（１９）を入れることにより、商品収納部（２１）と、この商品収納部に対して１８０°回転自在に連設された蓋部（２２）とを形成したことを特徴とする商品展示箱。
【請求項２】
箱本体（２０）が直方体箱状になった状態で蓋部（２２）を商品収納部（２１）に係止する蓋部係止手段（２８、２９、３１、３２）を設け、前記箱本体に把持部（３０）を設けたことを特徴とする請求項１に記載の商品展示箱。
【請求項３】
箱本体（２０）の上面（２０ｄ）を支持する仕切り補強板（４）を当該箱本体内に格納したことを特徴とする請求項１または請求項２に記載の商品展示箱。
【請求項４】
箱本体（２０）の正面（２０ｃ）に付設するＰＯＰ用パット（５）を設けたことを特徴とする請求項１から請求項３までのいずれかに記載の商品展示箱。
【発明の詳細な説明】
【技術分野】
【０００１】
本発明は、電池パックなどの商品を複数個まとめて展示して販売するための商品展示箱のうち、商品の流通段階から店頭販売段階へ移行する時点で商品を詰め替える必要のない商品展示箱に関するものである。
【背景技術】
【０００２】
従来この種の商品展示箱としては、特許文献１、２に開示されたものが知られていた。
【特許文献１】特開平１０−１２９６５４号公報
【特許文献２】特開平１０−２３６４６８号公報
【発明の開示】
【発明が解決しようとする課題】
【０００３】
しかし、これらの商品展示箱では次のような不都合があった。第１に、商品展示部が１段なので、多種多量の商品を展示することができず、消費者への商品アピール度が低い。第２に、商品展示箱に収納された商品を店頭販売した後には、この商品展示箱を廃棄するため、産業廃棄物が増える一方で、地球環境の悪化に歯止めをかけることができない。
【０００４】
本発明は、このような事情に鑑み、多種多量の商品を展示することができるため消費者への商品アピール度が高く、しかも再使用が可能で地球環境にもやさしい商品展示箱を提供することを目的とする。
【課題を解決するための手段】
【０００５】
まず、本発明のうち請求項１に係る発明は、直方体箱状の箱本体（２０）に、その一方の側面（２０ａ）の上辺から正面（２０ｃ）を通って他方の側面（２０ｂ）の上辺に至る形で切り込み（１９）を入れることにより、商品収納部（２１）と、この商品収納部に対して１８０°回転自在に連設された蓋部（２２）とを形成して構成される。
【０００６】
また、本発明のうち請求項２に係る発明は、前記箱本体（２０）が直方体箱状になった状態で前記蓋部（２２）を前記商品収納部（２１）に係止する蓋部係止手段（２８、２９、３１、３２）を設け、前記箱本体に把持部（３０）を設けて構成される。ここで、蓋部係止手段の代表例としては差し込み片と差し込み溝の組み合わせを挙げることができる。
【０００７】
また、本発明のうち請求項３に係る発明は、前記箱本体（２０）の上面（２０ｄ）を支持する仕切り補強板（４）を当該箱本体内に格納して構成される。
【０００８】
さらに、本発明のうち請求項４に係る発明は、前記箱本体（２０）の正面（２０ｃ）に付設するＰＯＰ用パット（５）を設けて構成される。
【発明の効果】
【０００９】
本発明のうち請求項１に係る発明によれば、蓋部を１８０°回転させると、上下２段の商品展示部が形成されるので、多種多量の商品を展示して消費者への商品アピール度を高めることができる。また、このとき上段の商品展示部が二重構造となるため、電池パックなど重量のある商品を上段の商品展示部に安心して搭載することができる。さらに、蓋部を１８０°逆回転させると、箱本体が元の直方体箱状に戻るので、商品を店頭販売した後に商品展示箱を再使用することができ、地球環境にやさしい。
【００１０】
また、本発明のうち請求項２に係る発明によれば、箱本体を直方体箱状にした状態で把持部を持って持ち運べるため、商品の流通段階において商品展示箱の持ち運びが容易となる。
【００１１】
また、本発明のうち請求項３に係る発明によれば、蓋部を１８０°回転させたときに上段の商品展示部が仕切り補強板で支持されるため、電池パックなど重量のある商品を上段の商品展示部に安心して搭載することができる。
【００１２】
さらに、本発明のうち請求項４に係る発明によれば、蓋部を１８０°回転させて上下２段の商品展示部を形成した後、上段の商品展示部の後方にＰＯＰ用パットを立設することにより、消費者への商品アピール度を高めることができる。
【発明を実施するための最良の形態】
【００１３】
以下、本発明の実施形態を図面に基づいて説明する。
【００１４】
＜第１の実施形態＞
図１〜５は本発明に係る商品展示箱の第１の実施形態を示す図である。
【００１５】
この商品展示箱１は、図１に示すように、商品（例えば、４本の単３形乾電池をパック包装したパック電池）が複数個（例えば、１２個）ずつトレー上に並べて載置されたトレー商品群６を４つ前後２列左右２列で収納しうる収納箱２と、これらのトレー商品群６を収納箱２内で２つずつ左右２列に仕切りつつ収納箱２を補強する仕切り補強板４と、ＰＯＰ（店頭販促広告）用パット５の３部品から構成されており、これらの部品はいずれも段ボール製である。
【００１６】
すなわち、収納箱２は直方体箱状の箱本体２０を有しており、箱本体２０には切り込み１９が、一方の側面２０ａの上辺から正面２０ｃの下辺を通って他方の側面２０ｂの上辺に至る形でコの字状に形成されている。ここで、この切り込み１９は、その両端が箱本体２０の上面２０ｄの奥行き方向の中点に位置しており、各側面２０ａ、２０ｂおよび正面２０ｃにおいてはそれぞれ直線状となっている。したがって、この切り込み１９により、箱本体２０は蓋部２２が商品収納部２１に対して１８０°回転自在に連設された状態となっており、蓋部２２は正面２０ｃの全部、上面２０ｄの一部（面積にして半分）および各側面２０ａ、２０ｂの一部（面積にして１／４）から構成されているとともに、商品収納部２１は上面２０ｄの残部（面積にして半分）、各側面２０ａ、２０ｂの残部（面積にして３／４）、背面２０ｅの全部および底面２０ｆの全部から構成されている。そして、箱本体２０が直方体箱状を呈している状態で、その蓋部２２を１８０°回転させると、図２に示すように、上面２０ｄの一部（蓋部２２を構成する部分）が裏返って残部（商品収納部２１を構成する部分）の上に重なり、そこに上段の商品展示部２５が形成されると同時に、底面２０ｆ上に下段の商品展示部２６が形成されることになる。
【００１７】
また、箱本体２０の底面２０ｆの１辺（正面２０ｃと共有する辺）には、図２に示すように、長方形状の補助蓋片２７が折曲自在に連設されており、補助蓋片２７の基部には差し込み溝２９が形成されている。さらに、箱本体２０の底面２０ｆには差し込み片２８がＬ字状に折曲しうる形で連設されている。また、箱本体２０の正面２０ｃには、図１に示すように、Ｕ字状の把持部３０が横向きに取り付けられており、把持部３０は一対の把持片３０ａ、３０ｂから構成されている。さらに、箱本体２０の正面２０ｃの１辺（底面２０ｆと共有する辺）には差し込み片３１が折曲自在に連設されており、差し込み片３１には差し込み溝３２が形成されている。
【００１８】
なお、こうした構成を備えた収納箱２は、図５（ａ）に示すような展開図で表される段ボール板７から組み立てられたものである。すなわち、この段ボール板７は長方形状の上面２０ｄを有しており、上面２０ｄの右側には側面２０ａが折曲自在に連設されている。また、上面２０ｄの左側には側面２０ｂが折曲自在に連設されており、側面２０ｂの左側には底面２０ｆが折曲自在に連設されている。さらに、底面２０ｆの左側には糊しろ片２０ｇが折曲自在に連設されている。また、上面２０ｄの上側には正面２０ｃが折曲自在に連設されており、正面２０ｃの中央部には把持片挿通孔２０ｍが形成されている。さらに、正面２０ｃの上側には差し込み片３１が折曲自在に連設されており、差し込み片３１の基部には差し込み溝３２が形成されている。また、各側面２０ａ、２０ｂの上側にはそれぞれ把持片３０ａ、３０ｂが折曲自在に連設されている。さらに、底面２０ｆの上側には補助蓋片２７および差し込み片２８が折曲自在に連設されており、補助蓋片２７の基部には差し込み溝２９が形成されている。一方、上面２０ｄ、側面２０ａ、２０ｂおよび底面２０ｆの下側にはそれぞれ背面片２０ｈ、２０ｉ、２０ｊ、２０ｋが折曲自在に連設されている。したがって、上面２０ｄ、側面２０ａ、２０ｂおよび底面２０ｆを直角に折り曲げて角筒状に組み立て、糊しろ片２０ｇを側面２０ａの内側に貼り付けた後、正面２０ｃおよび把持片３０ａ、３０ｂを直角に折り曲げ、把持片３０ａ、３０ｂを把持片挿通孔２０ｍに挿通すれば、把持部３０が構成される。また、背面片２０ｈ、２０ｉ、２０ｊ、２０ｋを直角に折り曲げて噛み合わせると、背面２０ｅが構成されることになる。
【００１９】
一方、仕切り補強板４は、図２および図５（ｂ）に示すように、箱本体２０の上面２０ｄ（商品収納部２１を構成する部分）の裏面に当接して下から支持する隔壁４１を有しており、隔壁４１の下端部には一対の脚部４２、４３が左右に延伸した形で取り付けられている。
【００２０】
さらに、ＰＯＰ用パット５は、図２に示すように、長方形状の宣伝文句記載板５１を有しており、宣伝文句記載板５１の下側には差し込み片５２が一体に形成されている。
【００２１】
商品展示箱１は以上のような構成を有するので、この商品展示箱１を用いて商品を流通させるときには、商品出荷所において、収納箱２内に仕切り補強板４を設置し、４つのトレー商品群６を前後２列左右２列で収納し、その上にＰＯＰ用パット５を載置した後、箱本体２０を直方体箱状とし、差し込み片３１を差し込み溝２９に差し込むとともに、差し込み片２８を差し込み溝３２に差し込む。これで、蓋部２２が商品収納部２１に係止されて固定され、箱本体２０が直方体箱状になるので、この商品展示箱１を商品出荷所から店頭へ輸送する。このとき、商品展示箱１は把持部３０を備えているので、容易に持ち運ぶことができる。
【００２２】
次に、商品を流通段階から店頭販売段階へ移行するときには、商品を販売する店頭において、差し込み片２８を差し込み溝３２から引き抜くとともに、差し込み片３１を差し込み溝２９から引き抜いた後、把持部３０を持って箱本体２０の蓋部２２を１８０°回転させる。すると、図２に示すように、収納箱２に上下２段の商品展示部２５、２６が形成される。そこで、図３に示すように、収納箱２に前後２列左右２列で収納されたトレー商品群６のうち手前の２つのトレー商品群６を下段の商品展示部２６から上段の商品展示部２５に載せ替えた後、図４に示すように、奥の２つのトレー商品群６を手前に引き出す。さらに、補助蓋片２７および差し込み片２８を折り返して箱本体２０の底面２０ｆの下敷きにし、ＰＯＰ用パット５を箱本体２０の正面２０ｃに挟み込んで上段の商品展示部２５の後方に立設する。
【００２３】
すると、多くの商品が上下２段で展示された状態となるので、多種多量の商品を展示して消費者への商品アピール度を高めることができる。しかも、上段の商品展示部２５の後方にはＰＯＰ用パット５が立設されているので、この点でも消費者への商品アピール度を高めることができる。なお、上段の商品展示部２５は、上述したとおり、上面２０ｄの一部が裏返って残部の上に重なった二重構造となっていることに加えて、その下から仕切り補強板４で支持されていることから、電池パックなど重量のある商品を上段の商品展示部２５に搭載しても商品展示部２５が強度不足で崩壊する恐れはない。
【００２４】
また、商品の店頭販売段階において商品が売り切れたところで、蓋部２２を１８０°逆回転させると、箱本体２０が元の直方体箱状に戻るので、商品展示箱１を空のまま商品出荷所へ返却し、何度でも繰り返して再使用する。こうすることで、商品展示箱１の廃棄による産業廃棄物の増加を抑制することができ、地球環境の悪化に歯止めをかけることが可能となる。なお、商品展示箱１を返却するときも、その把持部３０を持って容易に持ち運ぶことができる。
【００２５】
なお、上述した第１の実施形態においては、４つのトレー商品群６を前後２列左右２列で収納しうる収納箱２を備えた商品展示箱１について説明したが、４つのトレー商品群６を上下２段左右２列で収納しうる収納箱２を採用することも可能である。以下、第２の実施形態として、そうした収納箱２を備えた商品展示箱１について説明する。
【００２６】
＜第２の実施形態＞
図６〜９は本発明に係る商品展示箱の第２の実施形態を示す図である。
【００２７】
この商品展示箱１では、収納箱２にトレー商品群６を上下２段で収納するため、商品の店頭販売段階において、上段の商品展示部２５の奥行きがトレー商品群６の奥行きの半分になってしまうので、その不安定を解消すべく補強パット８を併用する。この点で、上述した第１の実施形態と異なるが、その他の構成については、以下に述べるとおり、基本的に第１の実施形態と同様である。
【００２８】
この商品展示箱１は、図６に示すように、商品（例えば、４本の単３形乾電池をパック包装したパック電池）が複数個（例えば、１２個）ずつトレー上に並べて載置されたトレー商品群６を４つ前後２列左右２列で収納しうる収納箱２と、これらのトレー商品群６を収納箱２内で２つずつ左右２列に仕切りつつ収納箱２を補強する仕切り補強板４と、補強パット８と、ＰＯＰ（店頭販促広告）用パット５の４部品から構成されており、これらの部品はいずれも段ボール製である。
【００２９】
すなわち、収納箱２は直方体箱状の箱本体２０を有しており、箱本体２０には切り込み１９が、一方の側面２０ａの上辺から正面２０ｃの下辺を通って他方の側面２０ｂの上辺に至る形でコの字状に形成されている。ここで、この切り込み１９は、その両端が箱本体２０の上面２０ｄの奥行き方向の中点に位置しており、各側面２０ａ、２０ｂおよび正面２０ｃにおいてはそれぞれ直線状となっている。したがって、この切り込み１９により、箱本体２０は蓋部２２が商品収納部２１に対して１８０°回転自在に連設された状態となっており、蓋部２２は正面２０ｃの全部、上面２０ｄの一部（面積にして半分）および各側面２０ａ、２０ｂの一部（面積にして１／４）から構成されているとともに、商品収納部２１は上面２０ｄの残部（面積にして半分）、各側面２０ａ、２０ｂの残部（面積にして３／４）、背面２０ｅの全部および底面２０ｆの全部から構成されている。そして、箱本体２０が直方体箱状を呈している状態で、その蓋部２２を１８０°回転させると、図７に示すように、上面２０ｄの一部（蓋部２２を構成する部分）が裏返って残部（商品収納部２１を構成する部分）の上に重なり、そこに上段の商品展示部２５が形成されると同時に、底面２０ｆ上に下段の商品展示部２６が形成されることになる。
【００３０】
また、箱本体２０の底面２０ｆの１辺（正面２０ｃと共有する辺）には、図７に示すように、長方形状の補助蓋片２７が折曲自在に連設されており、補助蓋片２７の基部には差し込み溝２９が形成されている。さらに、箱本体２０の底面２０ｆには差し込み片２８がＬ字状に折曲しうる形で連設されている。また、箱本体２０の正面２０ｃには、図６に示すように、Ｕ字状の把持部３０が縦向きに取り付けられており、把持部３０は一対の把持片３０ａ、３０ｂから構成されている。さらに、箱本体２０の正面２０ｃの１辺（底面２０ｆと共有する辺）には差し込み片３１が折曲自在に連設されており、差し込み片３１には差し込み溝３２が形成されている。
【００３１】
なお、こうした構成を備えた収納箱２は、図９（ａ）に示すような展開図で表される段ボール板７から組み立てられたものである。すなわち、この段ボール板７は長方形状の上面２０ｄを有しており、上面２０ｄの右側には側面２０ａが折曲自在に連設されており、側面２０ａの右側には底面２０ｆが折曲自在に連設されている。また、上面２０ｄの左側には側面２０ｂが折曲自在に連設されており、側面２０ｂの左側には糊しろ片２０ｇが折曲自在に連設されている。また、上面２０ｄの上側には正面２０ｃが折曲自在に連設されており、正面２０ｃの中央部には把持片挿通孔２０ｍが形成されている。さらに、正面２０ｃの上側には差し込み片３１が折曲自在に連設されており、差し込み片３１の基部には差し込み溝３２が形成されている。また、各側面２０ａ、２０ｂの上側にはそれぞれ把持片３０ａ、３０ｂが折曲自在に連設されている。さらに、底面２０ｆの上側には補助蓋片２７および差し込み片２８が折曲自在に連設されており、補助蓋片２７の基部には差し込み溝２９が形成されている。一方、上面２０ｄ、側面２０ａ、２０ｂおよび底面２０ｆの下側にはそれぞれ背面片２０ｈ、２０ｉ、２０ｊ、２０ｋが折曲自在に連設されている。したがって、上面２０ｄ、側面２０ａ、２０ｂおよび底面２０ｆを直角に折り曲げて角筒状に組み立て、糊しろ片２０ｇを底面２０ｆの内側に貼り付けた後、正面２０ｃおよび把持片３０ａ、３０ｂを直角に折り曲げ、把持片３０ａ、３０ｂを把持片挿通孔２０ｍに挿通すれば、把持部３０が構成される。また、背面片２０ｈ、２０ｉ、２０ｊ、２０ｋを直角に折り曲げて噛み合わせると、背面２０ｅが構成されることになる。
【００３２】
一方、仕切り補強板４は、図７および図９（ｂ）に示すように、箱本体２０の上面２０ｄ（商品収納部２１を構成する部分）の裏面に当接して下から支持する隔壁４１を有しており、隔壁４１の下端部には一対の脚部４２、４３が左右に延伸した形で取り付けられている。
【００３３】
また、補強パット８は、図７および図９（ｃ）に示すように、トレー商品群６の奥行きとほぼ同じ奥行きの商品搭載板８１を有しており、商品搭載板８１の左右両辺にはそれぞれ柱脚８２、８３が下向きに連設されている。
【００３４】
さらに、ＰＯＰ用パット５は、図７に示すように、長方形状の宣伝文句記載板５１を有しており、宣伝文句記載板５１の下側には差し込み片５２が一体に形成されている。
【００３５】
商品展示箱１は以上のような構成を有するので、この商品展示箱１を用いて商品を流通させるときには、商品出荷所において、収納箱２内に仕切り補強板４を設置し、４つのトレー商品群６を上下２段左右２列で収納し、その手前にＰＯＰ用パット５を立てた後、箱本体２０を直方体箱状とし、差し込み片３１を差し込み溝２９に差し込むとともに、差し込み片２８を差し込み溝３２に差し込む。これで、蓋部２２が商品収納部２１に係止されて固定され、箱本体２０が直方体箱状になるので、この商品展示箱１を商品出荷所から店頭へ輸送する。このとき、商品展示箱１は把持部３０を備えているので、容易に持ち運ぶことができる。
【００３６】
次に、商品を流通段階から店頭販売段階へ移行するときには、商品を販売する店頭において、差し込み片２８を差し込み溝３２から引き抜くとともに、差し込み片３１を差し込み溝２９から引き抜いた後、把持部３０を持って箱本体２０の蓋部２２を１８０°回転させる。すると、図７に示すように、収納箱２に上下２段の商品展示部２５、２６が形成される。そこで、図８に示すように、収納箱２に上下２段左右２列で収納されたトレー商品群６のうち上側の２つのトレー商品群６を下段の商品展示部２６から上段の商品展示部２５に載せ替える。このとき、上段の商品展示部２５の奥行きがトレー商品群６の奥行きの半分しかないが、補強パット８が設けられているので、上段の商品展示部２５上でトレー商品群６が不安定となる危険性はない。さらに、補助蓋片２７および差し込み片２８を折り返して箱本体２０の底面２０ｆの下敷きにし、ＰＯＰ用パット５を箱本体２０の正面２０ｃに挟み込んで上段の商品展示部２５の後方に立設する。
【００３７】
すると、多くの商品が上下２段で展示された状態となるので、多種多量の商品を展示して消費者への商品アピール度を高めることができる。しかも、上段の商品展示部２５の後方にはＰＯＰ用パット５が立設されているので、この点でも消費者への商品アピール度を高めることができる。なお、上段の商品展示部２５は、上述したとおり、上面２０ｄの一部が裏返って残部の上に重なった二重構造となっていることに加えて、その下から仕切り補強板４で支持されていることから、電池パックなど重量のある商品を上段の商品展示部２５に搭載しても商品展示部２５が強度不足で崩壊する恐れはない。
【００３８】
また、商品の店頭販売段階において商品が売り切れたところで、空になった商品展示箱１を商品出荷所へ返却し、何度でも繰り返し再使用する。こうすることで、商品展示箱１の廃棄による産業廃棄物の増加を抑制することができ、地球環境の悪化に歯止めをかけることが可能となる。なお、商品展示箱１を返却するときも、その把持部３０を持って容易に持ち運ぶことができる。
【００３９】
＜その他の実施形態＞
また、上述の実施形態においては、段ボール製の商品展示箱１について説明したが、商品展示箱１の材料はこれに限るわけではなく、プラスチック段ボールや厚紙などからなる商品展示箱１を採用してもよい。
【００４０】
また、上述の実施形態においては、商品が複数個ずつトレー上に並べて載置されたトレー商品群６を収納しうる収納箱２を備えた商品展示箱１について説明したが、商品をトレー上に載置しないで収納箱２に収納することもできる。
【００４１】
さらに、上述の実施形態においては、切り込み１９が各側面２０ａ、２０ｂおよび正面２０ｃにおいてそれぞれ直線状となっている場合について説明したが、各側面２０ａ、２０ｂおよび正面２０ｃにおいて、切り込み１９は必ずしも直線状である必要はなく、円弧、放物線その他の曲線状であっても構わない。
【図面の簡単な説明】
【００４２】
【図１】本発明に係る商品展示箱の第１の実施形態を示す斜視図である。
【図２】図１に示す商品展示箱を開けた状態を示す斜視図である。
【図３】図１に示す商品展示箱を開けて上段の商品展示部にトレー商品群を載せ替えた状態を示す斜視図である。
【図４】図１に示す商品展示箱に収納された商品を店頭販売するときの状態を示す斜視図である。
【図５】図１に示す商品展示箱の各構成部品を示す展開図であって、（ａ）は収納箱の展開図、（ｂ）は仕切り補強板の展開図である。
【図６】本発明に係る商品展示箱の第２の実施形態を示す斜視図である。
【図７】図４に示す商品展示箱を開けた状態を示す斜視図である。
【図８】図４に示す商品展示箱に収納された商品を店頭販売するときの状態を示す斜視図である。
【図９】図４に示す商品展示箱の各構成部品を示す展開図であって、（ａ）は収納箱の展開図、（ｂ）は仕切り補強板の展開図、（ｃ）は補強パットの展開図である。
【符号の説明】
【００４３】
１……商品展示箱
４……仕切り補強板
５……ＰＯＰ用パット
２８、３１……差し込み片（蓋部係止手段）
２９、３２……差し込み溝（蓋部係止手段）
６……トレー商品群
８……補強パット
１９……切り込み
２０……箱本体
２０ａ、２０ｂ……側面
２０ｃ……正面
２１……商品収納部
２２……蓋部
２５、２６……商品展示部
３０……把持部
【図１】
2005066084.tif 000003
【図２】
2005066084.tif 000004
【図３】
2005066084.tif 000005
【図４】
2005066084.tif 000006
【図５】
2005066084.tif 000007
【図６】
2005066084.tif 000008
【図７】
2005066084.tif 000009
【図８】
2005066084.tif 000010
【図９】
2005066084.tif 000011